(57)【特許請求の範囲】
【請求項１】
除塵用の圧縮エアーを吹き込むためのベンチユリーを備え、且つ、フイルター濾紙を円周方向に多数のヒダが連続する断面略星型の円筒状に成形したパルスジエット式集塵機用のフイルターに於いて、
断面略星型に成形したフイルター濾紙の上下両端口に取付ける上部プレートと下部プレートの間に、薄板状に形成した複数枚の支柱板を、円周方向に間隔をあけ、且つ、夫々がフイルター濾紙のヒダの内側に位置するように放射状に配列して取付けると共に、下部プレートにフイルター濾紙の内部に突出するように内部充填体を設け、上記の各支柱板をその内側縁が上記内部充填体の外側面に接するように上部プレートと下部プレートとの間に取付けたことを特徴とするパルスジエット式集塵機用フイルター。
【請求項２】
薄板状に形成した支柱板を、断面略Ｔ型状又は略Ｉ型状に形成したことを特徴とする請求項１記載のパルスジエット式集塵機用フイルター。
【請求項３】
各支柱板の外側縁を直線状に形成する一方、その横幅を中央部が内側に向けて最も幅広く突出し、上下両端に進むに従って次第に狭くなる上下対称形状に形成して、この様に形成した各支柱板を、上部と下部のプレートの間にその下側半分の内側縁をフイルター濾紙の内部に突出形成した内部充填体の側面に接した状態にして取付けることを特徴とする請求項１又は２記載のパルスジエット式集塵機用フイルター。
【請求項４】
上部と下部の各プレートと、ベンチユリー、充填体及び支柱板の各部材を、合成樹脂材料を用いて構成したことを特徴とする請求項１、２又は３記載のパルスジエット式集塵機用フイルター。
【発明の詳細な説明】
【０００１】
【発明の属する技術分野】
本発明は、集塵運転によってフイルターに付着したダスト類を、フイルター内部に圧縮エアーを吹き込むことによって払い落すように構成したパルスジエット式集塵機に使用して好適なフイルターに関するものである。
【０００２】
【従来の技術】
例えば、特開平８−３８８３９号公報等に記載されている従来のパルスジエット式集塵機用フイルターでは、集塵運転時の吸引力によって、円周方向にヒダが連続する断面略星型の円筒状（プリーツ状）に成形したフイルター濾紙が変形しないように、フイルター濾紙の内部に金属製の棒材を縦横に組んで籠状に構成した金属製ケージを取付けることによって、集塵運転による内部方向への変形を支持する一方、圧縮エアー（パルスジエット）をフイルター濾紙の内部に吹き込む除塵運転時には、フイルター濾紙が長さ方向に変形しないように支持する仕組に成っている。
【０００３】
【発明が解決しようとする課題】
しかし、上記公報に記載されている従来のパルスジエット式集塵機用フイルターは、上述したようにフイルター濾紙がヒダを円周方向に連続形成した断面略星型に成形されており、このフイルターを支える上記の金属製ケージが、その横棒をフイルター濾紙の内周面に折り目部分に接触するように組み込まれているため、集塵運転とパルスジエットによる除塵運転を繰返す度に、上記接触部分がこすれてフイルター濾紙が摩擦によって傷つけられて破損してしまう問題が発生していた。
【０００４】
従って本発明の技術的課題は、金属製ケージと同様の強度性を備えていて、フイルター濾紙が集塵運転時及び除塵運転時に内部方向及び長さ方向へ変形しないように支持する一方、これ等集塵運転時と除塵運転時にフイルター濾紙が摩擦によって破損しないように工夫したパルスジエット式集塵機用フイルターを提供することである。
【０００５】
また、本発明の他の技術的課題は、フイルターを廃棄処分する場合に、その取扱いを容易にしたパルスジエット式集塵機用フイルターを提供することである。
【０００６】
【課題を解決するための手段】
（１）  上記の技術的課題を解決するために、本発明では前記請求項１に記載の如く、除塵用の圧縮エアーを吹き込むためのベンチユリーを備え、且つ、フイルター濾紙を円周方向に多数のヒダが連続する断面略星型の円筒状に成形したパルスジエット式集塵機用のフイルターに於いて、断面略星型に成形したフイルター濾紙の上下両端口に取付ける上部プレートと下部プレートの間に、薄板状に形成した複数枚の支柱板を、円周方向に間隔をあけ、且つ、夫々がフイルター濾紙のヒダの内側に位置するように放射状に配列して取付けると共に、下部プレートにフイルター濾紙の内部に突出するように内部充填体を設け、上記の各支柱板をその内側縁が上記内部充填体の外側面に接するように上部プレートと下部プレートとの間に取付けるように構成している。
【０００７】
（２）  また、本発明では前記請求項２に記載の如く、薄板状に形成した支柱板を、断面略Ｔ型状又は略Ｉ型状に形成するように構成している。
【０００８】
（３）  また、本発明では前記請求項４に記載の如く、各支柱板の外側縁を直線状に形成する一方、その横幅を中央部が内側に向けて最も幅広く突出し、上下両端に進むに従って次第に狭くなる上下対称形状に形成して、この様に形成した各支柱板を、上部と下部のプレートの間にその下側半分の内側縁をフイルター濾紙の内部に突出形成した内部充填体の側面に接した状態にして取付けるように構成している。
【０００９】
（４）  更に本発明では、前記請求項５に記載の如く、上部と下部の各プレートと、ベンチユリー、充填体及び支柱板の各部材を、合成樹脂材料を用いて構成するようにしている。
【００１０】
上記（１）で述べた請求項１に係る手段によれば、断面略星型に成形したフイルター濾紙の上下両端口に取付けた上部プレートと下部プレートの間に、複数枚の支柱板を各フイルター濾紙のヒダの内部に位置するように、夫々放射状に配列して取付けるため、フイルター濾紙はこれ等の支柱板に支持されて、集塵運転時の吸引力によって内部方向に変形したり、また、除塵運転時の圧縮エアーの吹き込みによって長さ方向に変形したりすることなく、その断面略星型の円筒形状を維持することができると共に、フイルター濾紙を支持するこれ等各支柱板には金属ケージの横棒に相当するものが存在しないため、フイルター濾紙が内外に変形しても摩擦によって破損することがなく、フイルター濾紙の寿命を長くすることを可能にする。
【００１１】
更に上記（１）で述べた請求項１に係る手段によれば、フイルターの内容積を少くするために設けた内部充填体の外側面に、各支柱板の内側縁が接するように設けられているため、集塵運転や除塵運転によって外力を受けても、内部充填体に支持されて各支柱板が屈曲したり変形したりすることがなく、フイルター濾紙の形態を変形させずに支持することを可能にする。
【００１２】
上記（２）で述べた請求項２に係る手段によれば、薄板状に形成した支柱板が断面略Ｔ型又はＩ型の梁形状に造られているため、集塵運転時の吸引作用や除塵運転時の吹き込み作用を受けても、これ等の外力によって簡単に屈曲してしまうことがなく、断面略星型の円筒形状に形成したフイルター濾紙の形態を支持することを可能にする。
【００１３】
上記（３）で述べた請求項３に係る手段によれば、薄板状に造った各支柱板を、中央部が最も幅広でその上下両端側を次第に細くした上下対称の構造的に強い形状に造っているため、集塵運転時や除塵運転時に外力を受けても変形せず、フイルター濾紙を安定した状態で支持できると共に、これ等各支柱板の下半分の内側縁を内部充填体の外側面に接するようにした関係で、更に支柱板の強度性を高めて、支柱板自身とフイルター濾紙の変形を防止することを可能にする。
【００１４】
上記（４）で述べた請求項４に係る手段によれば、上下のプレートと内部充填体、ベンチユリー、及び、支柱板の全てが、合成樹脂材料で形成されており、また、フイルター濾紙も一般的に合成樹脂材料を用いて構成されているため、フイルターを廃棄処分する際にその取り扱いを簡単にすることを可能にする。
【００１５】
【発明の実施の形態】
以下に、本発明に係るパルスジエット式集塵機用フイルターの実施の形態を図面と共に説明すると、図１は本発明の一部断面正面図、図３は図１のＸ−Ｘ線に沿った拡大断面図であって、これ等の図面に於いて符号１で全体的に示したフイルターは、全体を図示した様に多数のヒダ１Ａ′…が円周方向に連続する断面略星型（プリーツ型）の円筒状に成形した合成樹脂製又は紙製のフイルター濾紙１Ａと、このフイルター濾紙１Ａの下端口と上端口に取付ける合成樹脂製の下部プレート２及び上部プレート５によって構成されている。
【００１６】
下部プレート２には、下側よりフイルター濾紙１Ａの内部１Ｈに突出して、その内部容積を減少させる内部充填体３が一体形成され、また、上部プレート５の底面側には中央に開口した通気孔５Ａに連通するように、除塵用圧縮エアーを吹き込むためのベンチユリー６が下向きに一体形成されている。
【００１７】
更に図中、７…は合成樹脂材を用いて上下に長い薄板状に形成した複数枚の支柱板であって、これ等の支柱板７…は上記下部と上部の両プレート２，５の間に、円周方向に間隔をあけ、且つ、夫々が図３に示すようにフイルター濾紙１Ａの各ヒダ１Ａ′…の内側に位置するように放射状に配列されて取付けられている。
【００１８】
また、上記の各支柱板７は、図２の（イ）図並びにそのＹ−Ｙ線に沿った断面図を示した（ロ）図に記載されているように、外側縁７Ｘを直線状に形成する一方、内側縁７Ｂにリブ７Ａを形成した断面略Ｔ字状、或は、断面略Ｉ字状の梁形状に形成され、更に、その中間部の横幅を内方、即ち、内側縁７Ｂの方向に最も幅広く突出し、上下両端部７Ｓ，７Ｓに進むに従って横幅が次第に狭くなるように上下対称の安定した形状に形成されている。
【００１９】
以上の如く構成した各支柱板７…は、上述した配列状態でフイルター濾紙１Ａの両端部と一緒にその両端部７Ｓ，７Ｓを樹脂モールド４Ｅ，５Ｅによって上記下部と上部の各プレート２，５の内側面に固定されて、図１に示した断面略星型の円筒状に成形されたフイルター濾紙１Ａの形態を支持する仕組に成っている。
【００２０】
また、上記の如く断面略Ｔ字状或は断面略Ｉ字状の構造的に丈夫な梁形状に造った各支柱板７…は、その下側内側縁７Ｂを図１並びに図３に示すように夫々内部充填体３の外側面３Ａに接する状態にして、上記下部と上部の両プレート２，５間に取付けられているため、その堅牢性を更に高めて、図示したフイルター濾紙１Ａの形態を安定した状態で保持するように構成されている。
【００２１】
尚、図３に示した平断面図では計４枚の支柱板７…を用いてフイルター濾紙１Ａの形態を保持しているが、この支柱板７…の使用枚数は任意に増減されることは勿論である。更に、上述した実施例では、各支柱板７…の下側内側縁７Ｂを、内部充填体３の外側面３Ａに接する状態にする構成が示されているが、この内側縁７Ｂを外側面３Ａに接着することによって、より安定性と堅牢性を増すように構成してもよく、その選択は任意とする。
【００２２】
本発明に係るパルスジエット式集塵機用フイルターは以上述べた如き構成であるから、下部と上部の両プレート２，５間に取付けた複数枚の支柱板７…が、フイルター濾紙１Ａを内側から支持して、集塵運転時の吸引力によってフイルター濾紙１Ａが内部方向へ変形することを防止する一方、フイルター濾紙１Ａの全体が除塵運転によってベンチユリー６から吹き込まれる圧縮エアーによって長さ方向に変形することも防止できるものであって、金属ケージの強度に相当する強さを発揮することができる。
【００２３】
また、各支柱板７は断面略Ｔ型又はＩ型の梁形状に造られ、加えて、その内側縁７Ｂの下側を内部充填体３の外側面３Ａに接して状態に取付けられているため、構造的に丈夫で集塵運転時の吸引力や、除塵運転時の圧縮エアーの吹き込み圧力によって長さ方向に変形することがなく、フイルター濾紙１Ａの形状を支持して、優れた集塵作用と除塵作用を発揮することができる。
【００２４】
【発明の効果】
以上述べた次第で、本発明に係るパルスジエット式集塵機用フイルターによれば、上下のプレートの間に取付けた複数枚の支柱板によって、集塵運転及び除塵運転のいずれの場合も、フイルター濾紙が内部方向へ変形したり、上下方向に変形することがなく、その断面略星型の円筒形状を支持することができるため、集塵運転と除塵運転を支障無く行うことができ、又、これ等各運転時にフイルター濾紙が擦れて傷つくことがないため、フイルターの寿命を長くできる利点を発揮できるものであって、フイルターを構成する全ての部品を合成樹脂で形成することによって、フイルターを廃棄処分する際の取り扱いを容易にした点と相俟って、パルスジエット式集塵機用のフイルターとして、洵に好適なものである。
【図面の簡単な説明】
【図１】  本発明に係るパルスジエット式集塵機用フイルターの一部断面正面図である。
【図２】  （イ）図は支柱板の側面図、（ロ）図は（イ）図のＹ−Ｙ線に沿った断面図である。
【図３】  図１のＸ−Ｘ線に沿った拡大断面図である。
【符号の説明】
１              フイルター
１Ａ            フイルター濾紙
１Ａ′          ヒダ
２              下部プレート
３              内部充填体
５              上部プレート
６              ベンチユリー
７              支柱板
７Ｘ            外側縁
７Ａ            リブ
７Ｂ            内側縁
【図１】
0003683493.tif 000002
【図２】
0003683493.tif 000003
【図３】
0003683493.tif 000004